(57)【要約】
【課題】  本考案は、新しい構造体による水平方向への揺動性という動きを特徴とし、人の感性に働きかけることも念頭においた、美術的要素も持つ腰掛けを提案しようとするものである。
【解決手段】  本考案は、上部にある基体２を下部にある基体１がワイヤー５にて吊り下げて連結する事をくり返した、複数の基体が吊り下げによって連結されている、構造的特徴を持つ腰掛け家具である。それぞれの基体は、ワイヤによる連結によって揺動自在となっており、水平方向に揺動するというユニークな動きを特徴としている。
【選択図】  図３
0003101380.tif 000002
【実用新案登録請求の範囲】
【請求項１】
複数の同形の基体から成り、最下部の基体がその上部にくる基体を連結具（ワイヤ）によって吊り下げて連結し、さらにその基体も同じように上部にくる基体を連結具（ワイヤ）によって吊り下げて連結する事をくり返した、複数の基体が吊り下げによって連結されている構造となった腰掛け家具。それぞれはワイヤによる連結によって揺動自在となっており、水平方向に揺動する事を特徴としている。
【考案の詳細な説明】
【技術分野】
【０００１】  本考案は，腰掛け，スツールあるいはこの構造を有する家具に関するものである。
【背景技術】
【０００２】  従来椅子の可動方法といえば、上下方向へのクッション性・可動性というものであった。
【考案の開示】
【考案が解決しようとする課題】
【０００３】  可動（揺動）椅子は、座った時体を支持するための補助として、体の姿勢や動きに合わせるように機能するものであるが、本考案はこの構造体による水平方向への揺動性というユニークな動きを特徴とし、座る快適さに対して、人の感性に働きかけることを念頭においた、美術的要素も持つ腰かけを提案しようとするものである。
【課題を解決するための手段】
【０００４】  本考案は、上部にある基体を下部にある基体がワイヤにて吊り下げるという構造的特徴を持っている。それぞれ４点で吊り下げられた連結部分は、常に垂直に状態を保とうとし、さらにそれが３つ連続する事により、それぞれが違った動きを成しながらも安定した元の形に戻ろうとする。その動きがユニークさを成す事になる。
【考案の効果】
【０００５】  上述の様に、本考案の揺動スツールはユニークな動きを表現する事により、座る人や見る人に新しい感性を働きかけるものである。
【考案を実施するための最良の形態】
【０００６】  このスツールは水平方向、前後左右に揺動する。また、より振れるにつれ最大４２ミリ座面が上昇する。（図４）
【実施例】
【０００７】  それぞれの基体１、２、３、４は強度を保つために１５ミリ厚の合板を使用し、接着部分はダボ止め８としている。ワイヤ５（直径１ミリ、破断強度８５ｋｇ）と、金具６によってその基体を連結している。また地面と直接接する部分には足金具７を取り付ける。
【図面の簡単な説明】
【０００８】
【図１】本考案の揺動スツールの一実施例を示す上面図である。
【図２】本考案の揺動スツールの一実施例を示す正面図である。
【図３】本考案の揺動スツールの一実施例を示す側面図である。
【図４】本考案の揺動スツールの動作範囲を示す図である。
【符号の説明】
【０００９】            １  基体１
２  基体２
３  基体３
４  基体４
５  ワイヤ
６  金具
７  足金具
【図１】
0003101380.tif 000003
【図２】
0003101380.tif 000004
【図３】
0003101380.tif 000005
【図４】
0003101380.tif 000006
【手続補正書】
【提出日】平成16年1月9日(2004.1.9)
【手続補正１】
【補正対象書類名】実用新案登録請求の範囲
【補正対象項目名】全文
【補正方法】変更
【補正の内容】
【実用新案登録請求の範囲】
【請求項１】
複数の基体を連結してなる家具であって、
各基体は天井部と、この天井部に対向する底面部とを有し、
前記複数の基体の内、隣り合う基体同士において、下側の基体の天井部と上側の基体の底面部とが連結具によって揺動自在に連結されている、
ことを特徴とする家具。
【手続補正２】
【補正対象書類名】明細書
【補正対象項目名】全文
【補正方法】変更
【補正の内容】
【考案の詳細な説明】
【技術分野】
【０００１】
本考案は、腰掛、スツールあるいはこの構造を有する家具に関するものである。
【背景技術】
【０００２】
従来の椅子において可動なものが存在したが、この可動方法といえば、上下方向へのクッション性・可動性というものであった。
【考案の開示】
【考案が解決しようとする課題】
【０００３】
上記の可動(揺動)する椅子は、座った時に体を支持するための補助として、体の姿勢や動きに合わせるように機能するものである。本考案は、この構造体による水平方向への揺動性というユニークな動きをユーザに提供し、従来にない独特の使用感を与えることを特徴とする。本発明は、人の感性に働きかけることを念頭においた、美術的要素も持つ家具を提案しようとするものである。
【課題を解決するための手段】
【０００４】
本考案は、上部にある基体の底部を下部の基体の天井部に固定された連結具であるワイヤにて吊リ下げるという構造的特徴を持っている。この構造的特徴により、上部にある基体と下部の基体とは、重力及び連結具の張力により吊り下げられた連結具が垂直でない状態になると垂直な状態に戻ろうとする特性を有する。このような基体を例えば３つ連結する事により、それぞれの基体が違った動きを成しながらも安定した元の形に戻ろうとする。その動きがユニークさを成す事になる。
【考案の効果】
【０００５】
本考案によれば、水平方向に揺動可能であるとともに、揺動に伴って座面が上昇するというユニークな動きを行う家具を提供できる。
【考案を実施するための最良の形態】
【０００６】
図４に、本発明の実施の形態にかかるスツールの側面図であって、スツールを構成する基体が揺動した状態を示す。なお、図中点線で示した基体１〜４は、揺動する以前の状態を示している。このスツールは水平方向、すなわち、座り手から見て前後左右に動揺する。また、よリ振れるにつれ最大４２ミリ座面が上昇する。(図4)
【実施例】
【０００７】
次に、本発明の実施例を図１から３を参照しながら説明する。図１は、本実施例にかかる揺動スツールの上面図（上方から見下ろした図）、図２はその揺動スツールの正面図（側方から見た図）、図３はその揺動スツールの側面図（図２の視線方向とは９０度異なる方向から見た図）である。図に示すように、基体１を除いた基体２から４は、いずれもワイヤ５によって連結されているだけであり、床面（ＦＬ）やその他いずれにも固定されていないため、ワイヤ５の変形可能な範囲で揺動自在である。
それぞれの基体１、２、３、４は断面ロの字状の枠体であって、天井部（１ａ、２ａ、３ａ，４ａ）と、底面部（１ｂ、２ｂ、３ｂ，４ｂ）と、天井部と底面部とを対向して固定する側面部（１ｃ、２ｃ、３ｃ，４ｃ、１ｄ、２ｄ、３ｄ，４ｄ）とで構成されている。天井部、底面部、側面部それぞれは強度を保つために15ミリ厚の合板を使用して構成される。合板の接着部分はダボ止め８としている。隣接する基体（基体１及び２，基体２及び３，基体３及び４）は、連結具であるワイヤ５（直径１ミリ、破断強度８５kg）と、金具６によって連結されている。また基体１において、地面と直接接する部分には足金具７を取り付ける。
【図面の簡単な説明】
【０００８】
【図１】本考案の揺動スツールの一実施例を示す上面図である。.
【図２】本考案の動揺スツールの一実施例を示す正面図である。
【図３】本考案の動揺スツールの一実施例を示す側面図である。
【図４】本考案の動揺スツールの動作範囲を示す図である。
【符号の説明】
【０００９】
１〜４  …  基体
１ａ、２ａ、３ａ，４ａ  …  天井部
１ｂ、２ｂ、３ｂ，４ｂ  …  底面部
１ｃ、２ｃ、３ｃ，４ｃ  …  側面部
１ｄ、２ｄ、３ｄ，４ｄ  …  側面部
５  …  ワイヤ
６  …  金具
７  …  足金具
【手続補正３】
【補正対象書類名】図面
【補正対象項目名】全図
【補正方法】変更
【補正の内容】
【図１】
0003101380.tif 000007
【図２】
0003101380.tif 000008
【図３】
0003101380.tif 000009
【図４】
0003101380.tif 000010